(57)【要約】      （修正有）【課題】液晶表示装置の画像色フィデリティを改良する。【解決手段】画素内における異なる表示波長に対応する複数のサブ画素（赤色のサブ画素、緑色のサブ画素、青色のサブ画素）に表示される画像を表すデジタルデータ信号をアナログデータに変換し、最も短い表示波長に対応するサブ画素（青色のサブ画素）から最も長い波長に対応するサブ画素（赤色のサブ画素）の順番で、画素内のサブ画素を順次に活性化する。この駆動法によって生じる電位の結合効果は、液晶の特性によって生じる異なる色のサブ画素の透過率変化を相殺させる。【選択図】図７
2007047724.tif 000002
【特許請求の範囲】
【請求項１】
画素内における異なる表示波長に対応する複数のサブ画素に表示される画像を表すデータ信号を供給し、かつ、
最も短い表示波長に対応するサブ画素から最も長い表示波長に対応するサブ画素の順番で、画素内のサブ画素を順次に活性化することを
含む液晶表示装置のソース駆動方法。
【請求項２】
サブ画素は、それぞれ第１の表示波長を有する第１の色のサブ画素、それぞれ第１の表示波長より短い第２の表示波長を有する第２の色のサブ画素、それぞれ第２の表示波長より短い第３の表示波長を有する第３の色のサブ画素を含む請求項１に記載のソース駆動方法。
【請求項３】
データ信号を提供する工程は、デジタルデータを受信し、デジタル信号をアナログデータに変換することを含む請求項１に記載のソース駆動方法。
【請求項４】
画素内のサブ画素を順次活性化する工程は、アナログデータを順次、選択された画素の第３の色のサブ画素、第２の色のサブ画素、次いで第１の色のサブ画素に出力することを含む請求項３に記載のソース駆動方法。
【請求項５】
デジタルデータを受信、登録し、次いで、同時にデジタルデータを出力することをさらに含む請求項３に記載のソース駆動方法。
【請求項６】
ガンマ電位信号に応じてデジタルデータがアナログデータに変換される請求項３に記載のソース駆動方法。
【請求項７】
アナログ信号がマルチプレクサによって順次、選択された画素の第１のサブ画素、第２のサブ画素及び第３のサブ画素に出力される請求項４に記載のソース駆動方法。
【請求項８】
第１の色のサブ画素が青色サブ画素である請求項２に記載のソース駆動方法。
【請求項９】
第２の色のサブ画素が緑色サブ画素である請求項２に記載のソース駆動方法。
【請求項１０】
第３の色のサブ画素が赤色サブ画素である請求項２に記載のソース駆動方法。
【請求項１１】
画素内の異なる表示波長に対応する複数のサブ画素に表示される画像を表すデータ信号の入力、及び
最も短い表示波長に対応するサブ画素から最も長い表示波長に対応するサブ画素の順番で、画素内のサブ画素を連続的に活性化する出力モジュール
を含む液晶表示装置用ソースドライバー。
【請求項１２】
入力は、
デジタルデータを受信する受信モジュール、及び
デジタルデータをアナログデータに変換する変換モジュール
を含む請求項１１に記載のソースドライバー。
【請求項１３】
サブ画素は
それぞれ第１の表示波長を有する第１の色のサブ画素、それぞれ第１の表示波長より短い第２の表示波長を有する第２の色のサブ画素、それぞれ第２の表示波長より短い第３の表示波長を有する第３の色のサブ画素を含む請求項１１に記載のソースドライバー。
【請求項１４】
出力モジュールは、アナログデータを順次、選択された画素の第３の色のサブ画素、第２の色のサブ画素、次いで第１の色のサブ画素に出力する請求項１３に記載のソースドライバー。
【請求項１５】
複数の画素を含む液晶表示パネル、
請求項１１に記載のソースドライバー、及び
前記ソースドライバーの操作を制御するコントローラー
を含む液晶表示装置。
【請求項１６】
請求項１５に記載の液晶表示装置、及び
画像データに応じて画像を映す液晶でディスプレイのコントローラーに画像データを供給する入力装置。
【請求項１７】
請求項１１に記載のソースドライバー、及び
ソースドライバーの操作を制御するコントローラー
を含む画素内の異なる表示波長に対応する複数のサブ画素をそれぞれ含む複数の画素を有する液晶表示装置の操作を制御するコントロールシステム。
【請求項１８】
複数の画素を含む液晶表示パネル、及び
請求項１７に記載のコントロールシステム
を含む液晶表示装置。
【請求項１９】
請求項１８に記載の液晶表示装置、及び
画像データに応じて画像を映す液晶ディスプレイのコントローラーに画像データを供給する入力装置
を含む電子装置。
【発明の詳細な説明】
【背景技術】
【０００１】
本発明は、ディスプレイ装置の駆動方法に関するものである。特に、本発明は、液晶ディスプレイ装置（ＬＣＤ）用のソース駆動方法及びソースドライバーに関するものである。
【０００２】
近年、ＬＣＤ装置は、軽量、小型化、大小の領域への適用性、低稼働電位、低電力消費及び低輻射熱の利点を有するため、ディスプレイ装置の主流になっている。特に、ＬＣＤ装置は、ノートブック型スクリーン、携帯電話又はパーソナルデジタルアシスタンス（ＰＤＡ）のようなポータブル電子装置により適している。したがって、ＬＣＤ装置は不可欠な装置になっており、その開発はきわめて重要である。
【０００３】
図１は、従来のＬＣＤパネルシステムの概略図である。図１に示されるように、従来のＬＣＤパネルシステム１００は通常ＬＣＤパネル１０２、ゲートドライバー１０４及びソースドライバー１０６を含む。ＬＣＤパネル１０２は、複数の画素から構成される画素アレイを含む。例えば、従来の解像度１０２４×７６８を有するＬＣＤパネルにおいては、画素は、１０２４のカラムと７６８の列のマトリックスに配列され、各画素は、それぞれ赤、緑、青色を有するサブ画素を含む。したがって、前記の液晶パネルにおいてはサブ画素は、３０７２のカラムと７６８の列を有するマトリックスに配列される。図１に示されるように、ＬＣＤパネルの第１のカラムにおける各画素１１２はサブ画素、すなわち、赤色サブ画素１１２ｒ、緑色サブ画素１１２ｇ、青色サブ画素１１２ｂを含む。さらに、第１の列は画素１１４などのような他の画素を含む。各サブ画素は薄膜トランジスタ（ＴＦＴ）及び蓄積容量を含み、蓄積容量はＴＦＴのドレインに接続される画素電極（図示しない）、共通電極及びその間に配置される誘電層によって形成される。ＴＦＴのゲートは、対応するスキャン線ＳＬ１、ＳＬ２・・・又はＳＬｍを経てゲートドライバー１０４によって制御される。例えば、サブ画素１１２ｒ及び１２２ｒの薄膜トランジスタのソースはデータ線ＤＬ１によって制御される。
【０００４】
ゲートドライバー１０４は基本のクロック及び開始パルスを受信する。開始パルスがゲートドライバー１０４によって受信された後、複数のスキャン信号が基本クロック及び順次スキャン線ＳＬ１、ＳＬ２・・・及びＳＬｍへの出力に応じてゲートドライバー１０４によって生成される。
【０００５】
ソースドライバー１０６は連続的に入力信号を受信し、次いで、デジタル入力データはアナログデータに変換され、データ線ＤＬ１、ＤＬ２、・・・ＤＬｎに並列して同時に出力される。したがって、ゲートドライバー１０４が開始パルスを受信し、画素の薄膜トランジスタ（例えば、サブ画素１１２ｒ、１１２ｇ、１１２ｂ等）のゲートのスイッチをオンにするために特定のスキャンライン（例えば、スキャンラインＳＬ１）にスキャン信号を出力するとき、アナログデータはデータ線ＤＬ１、ＤＬ２、・・・及びＤＬｎを経てサブ画素１１２ｒ、１１２ｇ、１１２ｂの薄膜トランジスタのソースに出力され、次いでアナログデータはＴＦＴのドレインを経て容量に蓄積される。
【０００６】
ソースドライバー１０６がデジタルの入力信号を受信した後、デジタルの入力データはデジタル−アナログコンバータ（ＤＡＣ）を経てアナログデータに変換される。ここで、適用電圧は、一組の参照電位から選択され、デジタル入力データに応じたアナログデータとして供給される。例えば、図１で示される液晶パネル１０２のサブ画素のデジタル入力信号の輝度が６ビットのグレー・スケールレベルを有するとき、一組の参照電位は２6＝６４の参照電位を有する。したがって、サブ画素の輝度はその蓄積容量に蓄積された参照電位に依存する。一般的に、サブ画素（例えば、それぞれサブ画素１１２ｒ、１１２ｇ、１１２ｂ）の３原色（赤、緑、青）と対応するグレー・スケールレベルＧＲ、ＧＧ及びＧＢの関係は次の関係式（１−１）〜（１−３）で表される。
【０００７】
ＢＲ＝ＧＲγ      （１−１）
ＢＧ＝ＧＧγ      （１−２）
ＢＢ＝ＧＢγ      （１−３）
γはγ値パラメータ、慣例的にはγ＝２．２である。
【０００８】
図２は、従来のＬＣＤパネルにおけるサブ画素の透過率と異なる色のサブ画素にそれぞれ対応するグレー・スケールレベルとの関係を示す。液晶の特性（いわゆるＬＣ効果）は異なる色のサブ画素の透過率の変化をもたらす。図２を参照すると、曲線Ｂ１は透過率と対応する赤色サブ画素（例えば、サブ画素１１２ｒ）のグレー・スケールの関係を示し、曲線Ｂ２は透過率と対応する緑色サブ画素（例えば、サブ画素１１２ｇ）のグレー・スケールの関係を示し、曲線Ｂ３は透過率と対応する青色サブ画素（例えば、サブ画素１１２ｂ）のグレー・スケールの関係を示す。特に、同じグレー・スケールレベルに対応して、ＬＣ効果によって、青色のサブ画素の透過率は緑色のサブ画素のそれより大きく、緑色のサブ画素の透過率は赤色のそれより大きい。
【０００９】
その上、ソースドライバー１０６のピンカウントを減少させるため、アナログデータをデータ線ＤＬ１，ＤＬ２及びＤＬｎに連続して入力するためにマルチプレクサーが通常使用される。図３は、マルチプレクサーの１つの回路ブロック概略図である。図３を参照すると、デジタル・アナログコンバータからのアナログデータＡＤはマルチプレクサー１３０に入力される。次いで、アナログデータＡＤがスキャン方向Ｄに沿って連続的にデータ線ＤＬ１、ＤＬ２及びＤＬ３に入力されるように、マルチプレクサー１３０のスイッチＳＷ１，ＳＷ２及びＳＷ３がオンとなる。アナログデータＡＤはスキャン方向Ｄに沿って連続的に入力されるので、サブ画素１１２ｒ、１１２ｇ、１１２ｂがデータ線ＤＬ１、ＤＬ２及びＤＬ３を経て駆動されるとき、電位の結合効果が生じる。一般的に、データ線とサブ画素間の結合電位ΔＶは次の式で表される。
【００１０】
ΔＶ＝（Ｃｐｄ／Ｃｔｏｔａｌ）＊Ｖｘ    （２）
Ｃｐｄは、サブ画素と近くのデータ線の間の寄生容量を表し、Ｃｔｏｔａｌは総容量を表し、Ｖｘはデータ線からの適用電圧を表す。したがって、３原色（赤、緑、青色）におけるサブ画素（１１２ｒ、１１２ｇ、１１２ｂ）に蓄積された実際の電圧はそれぞれ次の式（３−１）から（３−３）までで表される。
【００１１】
Ｖｒ＝Ｖｘ＋（２ΔＶ）                  （３−１）
Ｖｇ＝Ｖｘ＋（ΔＶ）                    （３−２）
Ｖｂ＝Ｖｘ                              （３−３）
式（３−１）から（３−３）にしたがって、図４は、従来のＬＣＤパネルにおける電位の結合効果による透過率と赤、緑、青色サブ画素のグレー・スケールの関係の曲線である。図４を参照すると、曲線Ｃ１は、透過率と結合効果に伴う赤色サブ画素（例えば、サブ画素１１２ｒ）のグレー・スケールの関係を表している。曲線Ｃ２は、透過率と結合効果に伴う緑色サブ画素（例えば、サブ画素１１２ｇ）のグレー・スケールの関係を表している。曲線Ｃ３は、透過率と結合効果に伴う青色サブ画素（例えば、サブ画素１１２ｂ）のグレー・スケールの関係を表している。電位の結合効果は、曲線Ｃ１，Ｃ２及びＣ３間の相違をもたらし、同じグレー・スケールに対応する青色サブ画素の透過率は緑色サブ画素の透過率より大きく、緑色サブ画素の透過率は赤色サブ画素の透過率より大きい。
【発明の開示】
【発明が解決しようとする課題】
【００１２】
図５は、従来のＬＣＤパネルにおける実際の透過率と赤、緑及び青色サブ画素のグレー・スケールの関係を示している。図５を参照すると、曲線Ｅ１は透過率と赤色サブ画素（例えば、サブ画素１１２ｒ）のグレー・スケールの実際の関係を示す。曲線Ｅ２は透過率と緑色サブ画素（例えば、サブ画素１１２ｇ）のグレー・スケールの実際の関係を示す。曲線Ｅ３は透過率と青色サブ画素（例えば、サブ画素１１２ｂ）のグレー・スケールの実際の関係を示す。ＬＣ効果と電位の結合効果の統合により、異なる色のサブ画素間の相違はより顕著になる。例えば、画像の色は青色になる傾向にあり、透過率の相違は画像のフィデリティに影響する。
【課題を解決するための手段】
【００１３】
したがって、本発明は、画像の色彩フィデリティを改良するためにＬＣ効果によって生じる輝度の相違の補償を提供する。本発明は、最も短い表示波長に対応するサブ画素から最も長い表示波長に対応するサブ画素の順番で、画素内における異なる表示波長に対応する複数のサブ画素に表示される画像を表すデータ信号を供給し、画素内にサブ画素を順次に活性化することを含むＬＣＤ装置のソース駆動方法を提供する。
【００１４】
前記のソース駆動方法において、サブ画素は、それぞれ第１の表示波長を有する第１の色のサブ画素、それぞれ第１の表示波長より短い第２の表示波長を有する第２の色のサブ画素、それぞれ第２の表示波長より短い第３の表示波長を有する第３の色のサブ画素を含む。データ信号を提供する工程は、デジタルデータを受信し、デジタル信号をアナログデータに変換することを含み、画素内のサブ画素を順次活性化する工程は、アナログデータを順次、選択された画素の第３の色のサブ画素、第２の色のサブ画素、次いで第１の色のサブ画素に出力することを含む。
【００１５】
本発明は、ＬＣＤ装置のソースドライバーを提供する。ソースドライバーは、最も短い表示波長に対応するサブ画素から最も長い表示波長に対応するサブ画素の順番で、画素内の異なる表示波長に対応する複数のサブ画素に表示される画像を表すデータ信号の入力及び画素内のサブ画素を連続的に活性化する出力モジュールを含む。
【００１６】
本発明は、複数の画素、上記のソースドライバー及びソースドライバーの操作を制御するコントローラーを含むＬＣＤパネルを含むＬＣＤ装置を提供する。
【００１７】
本発明は、上記のＬＣＤ装置及び画像データに対応して画像を映すためのＬＣＤのコントローラーに画像データを提供する入力装置を含む電子装置を提供する。
【００１８】
本発明は、それぞれ、画素内の異なる表示波長に対応する複数のサブ画素を含む複数の画素を有するＬＣＤ装置の操作を制御するための制御システムを提供する。
【００１９】
本発明は、複数の画素及び上記の制御システムを含むＬＣＤパネルを含むＬＣＤ装置を提供する。
【００２０】
本発明は、上記のＬＣＤ装置、画像データにしたがって画像を映すＬＣＤのコントローラーに画像データを供給する入力装置を含む電子装置を提供する。
【００２１】
本発明は、それぞれ、サブ画素に結合する複数のデータ線、最も短い表示波長に対応するサブ画素から最も長い表示波長に対応するサブ画素の順番で画素内のサブ画素を順次活性化し、データ線を経てサブ画素を制御するソースドライバー及びそれぞれ２つの隣接するデータ線に結合する複数の電荷結合要素を含む複数のサブ画素を含む複数の画素を有する液晶表示パネル用ソース駆動回路を提供する。
【００２２】
本発明は、複数のスキャン線、複数のデータ線及び複数の画素を含む液晶表示パネルを含む液晶表示パネルシステムに関係し、各画素は複数のサブ画素、スキャン線に電気的に接続されたゲートドライバー、データ線に電気的に接続されたソース駆動回路を含む。
【００２３】
本発明は、上記の液晶表示システム、画像データにしたがって画像を映す液晶表示システムに画像データを供給する入力装置を含む電子装置に関係する。
【００２４】
選択された画素の第１の色のサブ画素、第２の色のサブ画素、及び第３の色のサブ画素は小さい表示波長のサブ画素から大きい表示波長の方向に沿って連続的に駆動されるので、サブ画素の駆動によって生成した電位の結合効果はＬＣ効果によって生じする輝度の差異を補償する。さらに、２つの隣接するデータを電気的に接続する電荷結合要素は補償子効果を増幅する。したがって、画像の色のフィデリティは改良され得る。
【発明を実施するための最良の形態】
【００２５】
本発明の好ましい実施例に関する詳細な説明は、添付の図面を参照して行う。できる限り、図面及び記述における同じ参照番号は同じ又は類似の部分を参照するために使用される。
【００２６】
図６は、本発明の１つの実施例のＬＣＤパネルシステムの外観図である。図６に示されるように、ＬＣＤパネルシステム６００は、通常、ＬＣＤパネル６０２、ゲートドライバー６０４及びソースドライバー６０６を含む。ＬＣＤパネル６０２は複数の画素によって構成される画素アレイを含む。各画素、すなわち、ＬＣＤパネル６０２の第１のカラムにおける画素６１２は、３つの異なる色のサブ画素、すなわち、赤色サブ画素６１２ｒ、緑色サブ画素６１２ｇ、青色サブ画素６１２ｂを有する。さらに、第１の列は、画素６１４などのような他の画素を含む。各サブ画素は、薄膜トランジスタ（ＴＦＴ）及び容量を含み、容量はＴＦＴのドレインと共通電極の間に接続される。ＴＦＴのゲートは、対応するスキャン線ＳＬ１、ＳＬ２・・・及びＳＬｍを経てゲートドライバーによって制御される。例えば、サブ画素６１２ｒ、６１２ｇ及び６１２ｂの薄膜トランジスタのゲートはスキャン線ＳＬ１によって制御される。ＴＦＴのソースは対応するデータ線ＤＬ１、ＤＬ２・・・及びＤＬｎを経てソースドライバー６０６によって制御される。例えば、サブ画素６１２ｒ及び６２２ｒのサブ画素の薄膜トランジスタのソースはデータ線ＤＬ１によって制御される。
【００２７】
図７は、本発明の１つの実施例のＬＣＤパネルのソースドライバーの回路ブロック概略図である。図７に示されるように、ソースドライバー７００は、例えば、受信装置７０２のような受信モジュール、デジタル−アナログコンバータのような変換モジュール及びマルチプレクサ７０６のようなア出力モジュールを含む（図６のソースドライバー６０６はソースドライバー７００と類似の構造を含む）。受信装置７０２は、入力デジタルデータＩＤ（例えば、連続して入力された入力デジタルデータ）を受信し登録し、同時に複数のデジタルデータを出力するために適用される。本発明の１つの実施例において、受信装置７０２は、入力デジタルデータを受信し登録し、次いで、クロック信号ＣＳの制御下において同時にデジタルデータＤＤを出力するために適用されるラッチを含む。
【００２８】
図７を参照すると、デジタル−アナログコンバータ７０４は、デジタルデータＤＤを受信し、デジタルデータＤＤをアナログデータＡＤに変換する。デジタルデータＤＤは、ガンマ電位信号ＧＳのアナログデータＡＤに変換され、次いで、連続的にアナログデータＡＤを選択された画素のサブ画素に出力する。
【００２９】
図８は本発明の１つの実施例のマルチプレクサ７０６の回路ブロック概略図である。図８に示されるように、マルチプレクサ７０６は、データ線ＤＬ１、ＤＬ２及びＤＬ３を経てそれぞれ画素の異なる色のサブ画素に接続されるスイッチＳＷ１，ＳＷ２及びＳＷ３を含む。スイッチＳＷ１は第１の表示波長（例えば、赤色サブ画素６１２ｒ）を有する色サブ画素に接続され、スイッチＳＷ２は第２の表示波長（例えば、緑色サブ画素６１２ｇ）を有するサブ画素に接続され、スイッチＳＷ３は第３の表示波長（例えば、青色サブ画素６１２ｂ）を有する色サブ画素に接続される。第２の波長は第１の波長より短く、第３の波長は第２の波長より短い。
【００３０】
図８を参照すると、デジタル−アナログコンバータ７０４からのアナログデータＡＤはマルチプレクサ７０４に入力される。一定の期間、ゲートドライバーは開始パルスを受信し、特定のスキャン線（例えば、スキャン線ＳＬ１）にスキャン信号を出力してサブ画素（サブ画素６１２ｒ、６１２ｇ及び６１２ｂ）に薄膜トランジスタのゲートをオンにする。次いで、マルチプレクサ７０６のスイッチＳＷ３、ＳＷ２及びＳＷ１は、スキャン方向Ｄ’に沿ってデータ線ＤＬ３、ＤＬ２及びＤＬ１にデータＡＤを入力するために連続的にオンとなる。第３の表示波長（例えば、青色サブ画素６１２ｂ）を有するサブ画素が最初に駆動され、次いで第２の表示波長（例えば、緑色サブ画素６１２ｇ）を有するもの、最後に第１の表示波長（例えば、赤色サブ画素６１２ｒ）が駆動されることに留意すべきである。
【００３１】
アナログデータＡＤがスキャン方向Ｄ’に沿って入力されるので、電位の結合効果がデータ線ＤＬ１、ＤＬ２及びＤＬ３を経てサブ画素６１２ｒ、６１２ｇ及び６１２ｂを駆動するように製造される。３原色（例えば、赤、緑及び青色）のサブ画素（例えば、サブ画素６１２ｒ、６１２ｇ、６１２ｂ）に蓄積された実際の電位は次の式（４−１）から（４−３）によって表される。
【００３２】
Ｖｒ＝Ｖｘ                  （４−１）
Ｖｇ＝Ｖｘ＋（ΔＶ）        （４−２）
Ｖｂ＝Ｖｘ＋（２ΔＶ）      （４−３）
ΔＶは、データ線とサブ画素の間の結合電位を表し、Ｖｘはデータ線からの適用電位を表す。
【００３３】
図９は、本発明の１つの実施例のＬＣＤパネルにおける透過率と電位の結合効果を有する赤、緑及び青色のグレー・スケールレベルの関係を示す。図９を参照すると、曲線Ｃ１’は、透過率と結合効果を有する赤色サブ画素（例えば、サブ画素６１２ｒ）のグレー・スケールの関係を示す。曲線Ｃ２’は、透過率と結合効果を有する緑色サブ画素（例えば、サブ画素６１２ｇ）のグレー・スケールの関係を示す。曲線Ｃ３’は、透過率と結合効果を有する青色サブ画素（例えば、サブ画素６１２ｂ）のグレー・スケールの関係を示す。従来技術と異なって、同じグレー・スケールレベルに対応する赤色サブ画素の透過率は緑色サブ画素の透過率より大きく、緑色のサブ画素の透過率は青色のサブ画素の透過率より大きい。
【００３４】
図１０は、本発明の１つの実施例のＬＣＤにおける電位のＬＣ効果を有する異なる色のサブ画素にそれぞれ対応するサブ画素の透過率と対応するグレー・スケールレベルの関係を示す。図１０を参照すると、曲線Ｂ１’は、透過率と赤色サブ画素（例えば、サブ画素６１２ｒ）のグレー・スケールレベルの関係を示す。曲線Ｂ２’は、透過率と緑色サブ画素（例えば、サブ画素６１２ｇ）のグレー・スケールレベルの関係を示す。曲線Ｂ３’は、透過率と青色サブ画素（例えば、サブ画素６１２ｂ）のグレー・スケールレベルの関係を示す。ＬＣ効果のレベルの故、青色サブ画素の透過率は緑色サブ画素の透過率より大きく、緑色サブ画素の透過率は同じグレー・スケールに対応する赤色サブ画素の透過率より大きい。
【００３５】
図１１は、本発明の実際の透過率と赤、緑、青色サブ画素の関係を示す図９及び図１０の曲線を統合したものである。図１１を参照すると、曲線Ｅ１’は、透過率と赤色サブ画素（例えば、サブ画素６１２ｒ）のグレー・スケールレベルの実際の関係を示す。曲線Ｅ２’は、透過率と緑色サブ画素（例えば、サブ画素６１２ｇ）のグレー・スケールレベルの実際の関係を示す。曲線Ｅ３’は、透過率と青色サブ画素（例えば、サブ画素６１２ｂ）のグレー・スケールレベルの実際の関係を示す。明らかに、ＬＣ効果によって生じる透過率の相違は本発明のソース駆動方法によって生じる電位の結合効果によって減少する。
【００３６】
多くの実施例にとって、電荷結合要素は各データ線の結合量を調整するために各データ線間に配置される。図１２は、本発明の他の実施例のＬＣＤパネルシステムに外観図である。図６及び図１２を参照すると、ＬＣＤパネルシステム１２００は、電化結合要素１２１０を除いて図６に示されるＬＣＤパネルシステム６００に類似している。本発明においては、電荷結合要素１２１０は、大きさ、解像度及び液晶特性などのディスプレイパネル設計において既定の容量を有する静電容量である。好ましくは、静電容量は、第１の静電容量Ｃ１、第２の静電容量Ｃ２及び第３の静電容量Ｃ３を含む。図１２に示されるように、各第１の静電容量Ｃ１は、第１の色のサブ画素６１２ｒに接続されるデータ線（ＤＬ１、ＤＬ４、・・・Ｄｌｎ−２）と第２の色のサブ画素６１２ｇに接続されるデータ線（ＤＬ２、ＤＬ５、・・・ＤＬｎ−１）間に配置される。各第２の静電容量は第２の色のサブ画素６１２ｇに接続されるデータ線（Ｄｌ２、Ｄｌ５、・・・Ｄｌｎ−１）と第３の色のサブ画素６１２ｂと第１の色のサブ画素６１２ｒに接続されるデータ線（ＤＬ４、ＤＬ７、・・・ＤＬｎ−３）の間に配置される。
【００３７】
本発明においては、第１の静電容量Ｃ１の容量は第２の静電容量Ｃ２の容量及び第３の静電容量Ｃ３の容量より小さい。多くの実施態様によれば、第２の静電容量Ｃ２の容量は第３の静電容量Ｃ３の容量に実質的に等しい。例えば、第１の静電容量Ｃ１の容量：第２の静電容量の容量：第３の静電容量の容量は、約１：３：３である。本発明のソース駆動方法は、ＬＣ効果による透過率の相違を減少させることができ、また、電荷結合要素は、データ線の結合効果を増大させることができ、電位の結合効果によって色サブ画素の透過率の差異を補償する。これによって、表示画像の色彩は改良される。
【００３８】
図１３は、本発明の１実施例のＬＣＤ装置の回路概略図である。ＬＣＤ装置１３００は、制御システム１３１０並びに画素内に異なる表示波長に対応する複数のサブ画素（図６に示されるように）又は複数の結合要素（図１２に示されるように）をさらにそれぞれ含む複数の画素を含むことができる。制御システム１３１０はソースドライバー１３１２並びにソースドライバー１３１２の操作を制御するコントローラー１３１４を含むことができ、ソースドライバー１３１２は、ソースドライバー図６及び１２の６０６、図７の７００と同じ機能を有する。ここでは、詳細は省略する。
【００３９】
本発明は、電子装置を提供する。図１４は、本発明の１つの実施例の電子装置の回路ブロックの該略図である。図１４を参照すると、電子装置１４００は上記のようなＬＣＤ装置及び画像データに応じて画像を映すＬＣＤ装置１４１０におけるコントローラーに画像データを提供する入力装置を含む。
【００４０】
要約すると、本発明は、従来の方法とは異なる駆動方向に沿って異なる色のサブ画素を駆動するソース駆動方法及びソースドライバーを提供する。本発明の駆動方向は小さな表示波長を有するサブ画素から大きな表示波長を有するサブ画素に向かう。したがって、サブ画素を駆動することによって生じた電位の結合効果はＬＣ効果によって生じる輝度の差異を補償し、画像の色のフィディティは改良される。図示される実施例は３つのサブ画素を含む画素を有するＬＣＤを示し、本発明のコンセプトは１画素当り３画素以下又は以上のものにも適用し得る。
【００４１】
本発明の範囲及び精神を逸脱しない限り、本発明の構造に対して多くの改良や変形が可能であることは当業者に明らかであろう。この記述によって、本発明は、本発明の特許請求の範囲及びこの均等に即する改良及び変更を含むものであることが意図されている。
【図面の簡単な説明】
【００４２】
【図１】従来のＬＣＤパネルシステムの外観図である。
【図２】従来のＬＣＤパネルにおける異なる色のサブ画素にそれぞれ対応するサブ画素の透過率と対応するグレー・スケールレベルの関係を示す。
【図３】従来のマルチプレクサの回路ブロック概略図である。
【図４】従来のＬＣＤパネルにおける電位の結合効果を有する赤、緑及び青色サブ画素の透過率とグレー・スケールレベルのプロット曲線である。
【図５】従来のＬＣＤパネルにおける赤、緑及び青色サブ画素の実際の透過率とグレー・スケールレベルを示す図２及び図４の曲線の統合のプロットである。
【図６】本発明の１つの実施例のＬＣＤパネルシステムの外観図である。
【図７】本発明の１つの実施例のＬＣＤパネルのソースドライバーの回路ブロック概略図である。
【図８】本発明の１つの実施例のマルチプレクサの回路ブロック概略図である。
【図９】本発明の１つの実施例のＬＣＤパネルにおける電位の結合効果を有する赤、緑及び青色サブ画素の透過率とグレー・スケールレベルのプロット曲線である。
【図１０】本発明の１つの実施例のＬＣＤパネルにおける電位のＬＣ効果を有する異なる色のサブ画素にそれぞれ対応するサブ画素の透過率と対応するグレー・スケールレベルの関係を示す。
【図１１】本発明の赤、緑及び青色サブ画素の実際の透過率とグレー・スケールレベルを示す図９及び図１０の曲線の統合のプロットである。
【図１２】本発明の他の実施例のＬＣＤパネルシステムの外観図である。
【図１３】本発明の１つの実施例のＬＣＤ装置の回路ブロック概略図である。
【図１４】本発明の１つの実施例の電子装置の回路ブロック概略図である。
【符号の説明】
【００４３】
１００  従来のＬＣＤパネルシステム
１０２  ＬＣＤパネル
１０４  ゲートドライバー
１０６  ソースドライバー
１１２  サブ画素
１１４  画素
１２２  サブ画素
１３０  マルチプレクサ
６００  ＬＣＤパネルシステム
６０２  ＬＣＤパネル
６０４  ゲートドライバー
６０６  ソースドライバー
６１２  画素
６１４  画素
６２２  サブ画素
７００  ソースドライバー
７０２  受信装置
７０４  デジタル−アナログコンバーター
７０６  マルチプレクサ
１３００  ＬＣＤ装置
１３１０  コントロールシステム
１３１２  ソースドライバー
１３１４  コントローラー
１３２０  ＬＣＤパネル
１４００  電子装置
１４１０  ＬＣＤ装置
１４２０  入力装置
【図１】
2007047724.tif 000003
【図２】
2007047724.tif 000004
【図３】
2007047724.tif 000005
【図４】
2007047724.tif 000006
【図５】
2007047724.tif 000007
【図６】
2007047724.tif 000008
【図７】
2007047724.tif 000009
【図８】
2007047724.tif 000010
【図９】
2007047724.tif 000011
【図１０】
2007047724.tif 000012
【図１１】
2007047724.tif 000013
【図１２】
2007047724.tif 000014
【図１３】
2007047724.tif 000015
【図１４】
2007047724.tif 000016